(57)【要約】【課題】カラスやネコ等の鳥獣からゴミを確実に保護することが可能で、しかも、非使用状態では、容易に移動させて片付けることが可能なゴミ保護ケースを提供する。【解決手段】下方開口状のケース上半体１と、上方開口状のケース下半体２と、を備え、ケース上半体１の後壁面の下端縁と、上記ケース下半体２の後壁面の上端縁とは、ヒンジ部３によって枢結され、ケース上半体１はケース下半体２に対して後方へ揺動して開放自在とされ、さらに、ケース上半体１及びケース下半体２は、各々、扁平直方体形状に折畳み自在に構成されている。【選択図】図３
2019001610.tif 000002
【特許請求の範囲】
【請求項１】
下方開口状のケース上半体（１）と、上方開口状のケース下半体（２）と、を備え、
上記ケース上半体（１）の後壁面の下端縁（１ｂ）と、上記ケース下半体（２）の後壁面の上端縁（２ａ）とは、ヒンジ部（３）によって枢結され、
上記ケース上半体（１）は上記ケース下半体（２）に対して後方へ揺動して開放自在とされ、
さらに、上記ケース上半体（１）及び上記ケース下半体（２）は、各々、扁平直方体形状に折畳み自在に構成されていることを特徴とするゴミ保護ケース。
【請求項２】
上記ケース上半体（１）は、天井壁部材（11）と、左右側壁部材（12）（12）と、前壁部材（13）と、後壁部材（14）と、下方開口縁部を形成する矩形状の下枠部材（15）と、を有し、
上記左右側壁部材（12）（12）は、左右内方へ揺動自在に、上記下枠部材（15）に枢着され、
上記前壁部材（13）は、後内方へくの字状に折曲げ自在であり、かつ、上記後壁部材（14）は、前内方へくの字状に折曲げ自在とされ、
上記ケース下半体（２）は、底壁部材（21）と、左右側壁部材（22）（22）と、前壁部材（23）と、後壁部材（24）と、上方開口縁部を形成する矩形状の上枠部材（25）と、を有し、
上記ケース下半体（２）の左右側壁部材（22）（22）は、左右内方へ揺動自在に、上記上枠部材（25）に枢着され、
上記ケース下半体（２）の前壁部材（23）は、後内方へくの字状に折曲げ自在であり、かつ、上記ケース下半体（２）の後壁部材（24）は、前内方へくの字状に折曲げ自在とされている請求項１記載のゴミ保護ケース。
【請求項３】
上記ヒンジ部（３）に、上記ケース上半体（１）を前方へ閉じる方向へ常時弾発付勢するバネ部材（35）を設けた請求項１又は２記載のゴミ保護ケース。
【発明の詳細な説明】
【技術分野】
【０００１】
本発明は、ゴミ保護ケースに関する。
【背景技術】
【０００２】
従来、カラスやネコ等の鳥獣からゴミを保護するためのゴミ保護ネットが公知である（例えば、特許文献１参照）。
【先行技術文献】
【特許文献】
【０００３】
【特許文献１】登録実用新案第３２１０４４９号公報
【発明の概要】
【発明が解決しようとする課題】
【０００４】
しかし、ゴミ保護ネットは、カラスやネコ等の鳥獣がクチバシや脚等でめくる場合や、強風でめくれる場合があり、ゴミが荒らされるという問題があった。また、ネットは、ゴミに被せて使用するため、ネットとゴミが密着しており、ネットの網目からクチバシや脚がネット内のゴミに届きやすく、ネット内でゴミが荒らされるという問題もあった。
また、金属製の大きな常設のゴミ集積ボックスは、鳥獣にゴミが荒らされることはほとんど無いが、設置した空間が常に占領され、通行の妨げになるといった問題や、周囲の美観を損ねるといった問題があった。
【０００５】
そこで、本発明は、カラスやネコ等の鳥獣からゴミを確実に保護することが可能で、しかも、非使用状態では、容易に移動させて片付けることが可能なゴミ保護ケースの提供を目的とする。
【課題を解決するための手段】
【０００６】
本発明のゴミ保護ケースは、下方開口状のケース上半体と、上方開口状のケース下半体と、を備え、上記ケース上半体の後壁面の下端縁と、上記ケース下半体の後壁面の上端縁とは、ヒンジ部によって枢結され、上記ケース上半体は上記ケース下半体に対して後方へ揺動して開放自在とされ、さらに、上記ケース上半体及び上記ケース下半体は、各々、扁平直方体形状に折畳み自在に構成されているものである。
【０００７】
また、上記ケース上半体は、天井壁部材と、左右側壁部材と、前壁部材と、後壁部材と、下方開口縁部を形成する矩形状の下枠部材と、を有し、上記左右側壁部材は、左右内方へ揺動自在に、上記下枠部材に枢着され、上記前壁部材は、後内方へくの字状に折曲げ自在であり、かつ、上記後壁部材は、前内方へくの字状に折曲げ自在とされ、上記ケース下半体は、底壁部材と、左右側壁部材と、前壁部材と、後壁部材と、上方開口縁部を形成する矩形状の上枠部材と、を有し、上記ケース下半体の左右側壁部材は、左右内方へ揺動自在に、上記上枠部材に枢着され、上記ケース下半体の前壁部材は、後内方へくの字状に折曲げ自在であり、かつ、上記ケース下半体の後壁部材は、前内方へくの字状に折曲げ自在とされているものである。
また、上記ヒンジ部に、上記ケース上半体を前方へ閉じる方向へ常時弾発付勢するバネ部材を設けたものである。
【発明の効果】
【０００８】
本発明によれば、ゴミ保護ネットのように強風や鳥獣によってゴミが露出することが無く、確実にゴミを保護できる。しかも、非使用状態では、扁平直方体形状に折畳むことで、コンパクトにでき（ゴミを収容している使用状態に比べて薄くでき）、狭い隙間等のスペースに立て掛けたり、差し込んだりして、収納することができる。つまり、ゴミ保護ケースを常設するための設置空間が不要である。設置空間を常時占領しないため、通行を妨げず、周囲の美観も損ねない。
【図面の簡単な説明】
【０００９】
【図１】本発明の実施の一形態を前上方から見た斜視図である。
【図２】後上方から見た斜視図である。
【図３】開放状態を示す簡略斜視図である。
【図４】使用状態を示す簡略斜視図である。
【図５】ケース上半体の左右側壁部材の揺動途中状態を示す図であって、（ａ）は簡略斜視図であり、（ｂ）は簡略正面図である。
【図６】ケース上半体の折畳み途中状態を示す図であって、（ａ）は簡略斜視図であり、（ｂ）は簡略側面図である。
【図７】ケース上半体を折畳んだ短縮状態を示す簡略斜視図である。
【図８】短縮状態で開放した場合を示す簡略斜視図である。
【図９】ケース下半体の左右側壁部材の揺動途中状態を示す図であって、（ａ）は簡略斜視図であり、（ｂ）は簡略正面図である。
【図１０】ケース下半体の折畳み途中状態を示す図であって、（ａ）は簡略斜視図であり、（ｂ）は簡略側面図である。
【図１１】ケース折畳み完了状態を示す簡略斜視図である。
【発明を実施するための形態】
【００１０】
以下、図示の実施形態に基づき本発明を詳説する。
本発明に係るゴミ保護ケースは、図１及び図２に示すように、全体が直方体形状であって、内部に収容空間を有し（中空であり）、下方開口状箱型の樹脂製のケース上半体１と、上方開口状箱型の樹脂製のケース下半体２と、を備えている。
【００１１】
図２に示すように、ケース上半体１の後壁面の下端縁１ｂと、ケース下半体２の後壁面の上端縁２ａとは、ヒンジ部３によって、枢結され、ケース上半体１は、ケース下半体２に対して、左右水平状の枢結軸心廻りに開閉揺動自在である。
【００１２】
ヒンジ部３は、例えば、金属製の蝶番型のヒンジ部材30で構成され、一方の取付板がケース上半体１に固着され、他方の取付板がケース下半体２に固着されている。そして、一方の取付板と他方の取付板とを枢結する枢結軸廻りに、ねじりコイルバネから成るバネ部材35を巻き付け状に配設して、ケース上半体１を前方へ閉じる方向へ常時弾発付勢させている。
【００１３】
図３に示すように、ケース上半体１は、ケース下半体２に対して、左右水平状の枢結軸心廻りに、後方へ揺動して、開放自在である。この開放状態で、保護すべきゴミ（ゴミ袋）Ｇをケース下半体２の内部空間に収容可能となる。
【００１４】
開放状態から、ケース上半体１を前方へ閉じる方向へ揺動させる際に、ヒンジ部３に設けたバネ部材35の弾発付勢力が閉じる方向へ揺動させる閉操作補助力となって、軽い力で容易にケース上半体１を閉じることができる。
ケース上半体１の開口縁部とケース下半体２の開口縁部とが対面状に当接して配設され、閉揺動が終了する。
図４に示すように、ケース上半体１及びケース下半体２で包囲される内部空間にゴミ（ゴミ袋）Ｇを収容して保護する使用状態（ゴミ収容状態）となり、カラスやネコ等の鳥獣からゴミを保護する（ゴミが荒らされるのを防止する）。
【００１５】
ゴミ収容状態（閉状態）で、鳥獣や強風でケース上半体１が後方へ押されても、バネ部材35の弾発付勢力が、開揺動を阻止する抵抗力となる。言い換えると、バネ部材35の弾発付勢力を、ケース上半体１を開揺動させようとする鳥獣や強風の力よりも大きく設定し、ケース上半体１を開揺動させようとする人（使用者）の力よりも小さく設定している。
【００１６】
さらに、図５乃至図７に示すように、ケース上半体１は、扁平直方体形状に折畳み自在に構成している。
ケース上半体１は、樹脂製の平面視矩形状の天井壁部材11と、樹脂製の矩形板状の左右側壁部材12，12と、樹脂製の矩形板状の前壁部材13と、樹脂製の矩形板状の後壁部材14と、下方開口縁部を形成する矩形状の樹脂製の下枠部材15と、を有している。天井壁部材11は、下方開口状（断面コの字状）の浅皿型である。
【００１７】
図５に示すように、左右側壁部材12，12は、下端縁部が下枠部材15の左右側部に枢着され、上端縁部が左右内方へ傾倒するように前後水平状枢着軸心廻りに揺動自在に設けている。
さらに、左右側壁部材12，12は、左右内方へ揺動（傾倒）させると、下枠部材15の枠内方位置で、水平面状の収納姿勢に保持（下枠部材15に係止）される。
【００１８】
図６に示すように、前壁部材13及び後壁部材14は、前後内方へくの字状に折曲げ自在である。
前壁部材13は、上端縁部が天井壁部材11の前縁部に枢着され、下端縁部が下枠部材15の前縁部に枢着され、上下中間部に折曲げ用ヒンジ部50を有している。
前壁部材13は、左右側壁部材12，12が収納姿勢の場合に、上下中間部が、後方へくの字状に折曲げ可能となる。
後壁部材14は、上端縁部が天井壁部材11の後縁部に枢着され、下端縁部が下枠部材15の後縁部に枢着され、上下中間部に折曲げ用ヒンジ部60を有している。
後壁部材14は、左右側壁部材12，12が収納姿勢の場合に、上下中間部が前方へくの字状に折り曲げ可能となる。
【００１９】
前壁部材13及び後壁部材14を、折曲げ角度（内角）が０度に近づくように折畳むと、天井壁部材11が下枠部材15に接近する。そして、前壁部材13及び後壁部材14は、横断面Ｖ字状乃至積層状の折畳み収納姿勢で、下枠部材15と天井壁部材11とで形成される内部空間に配設されて収納される。
【００２０】
図７に示すように、天井壁部材11が下枠部材15に施蓋状に配設され、ケース上半体１は、扁平直方体形状の折畳み状態となる。
ケース上半体１の折畳み状態の上下寸法（厚さ寸法）は、天井壁部材11の上下寸法（厚さ寸法）と、下枠部材15の上下寸法（厚さ寸法）と、の和となる。
折畳み状態のケース上半体１の上下寸法（厚さ寸法）は、折畳み前の下方開口箱形状のときの上下寸法を１００％とすると、１０％〜２５％となるように設定している。
なお、ケース上半体１が折畳み状態、かつ、ケース下半体２が上方開口箱形状の状態を、短縮状態と呼ぶ。
【００２１】
図８に示すように、折畳み状態のケース上半体１は、（下方開口箱形状の場合と同様に）開閉揺動可能である。つまり、短縮状態は、小さなゴミ（ゴミ袋）Ｇを収容する場合に最適である。
【００２２】
図９乃至図11に示すように、ケース下半体２は、扁平直方体形状に折畳み自在に構成している。
ケース下半体２は、樹脂製の平面視矩形状の底壁部材21と、樹脂製の矩形板状の左右側壁部材22，22と、樹脂製の矩形板状の前壁部材23と、樹脂製の矩形板状の後壁部材24と、上方開口縁部を形成する矩形状の樹脂製の上枠部材25と、を有している。底壁部材21は上方開口状（横断面コの字状）の浅皿型である。
なお、ケース上半体１の左右側壁部材12，12を、第１の左右側壁部材12，12と呼び、ケース下半体２の左右側壁部材22，22を、第２の左右側壁部材22，22と呼ぶ場合がある。
【００２３】
図９に示すように、第２の左右側壁部材22，22は、上端縁部が上枠部材25の左右側部に枢着され、下端縁部が左右内方かつ上昇するように前後水平状枢着軸心廻りに揺動自在に設けている。
さらに、第２の左右側壁部材12，12は、左右内方へ上昇揺動させると、上枠部材25の枠内方位置で、水平面状の収納姿勢に保持（上枠部材25に係止）される。
【００２４】
図10に示すように、ケース下半体２の前壁部材23及び後壁部材24は、前後内方へくの字状に折曲げ自在である。
なお、ケース上半体１の前・後壁部材13，14を、第１の前・後壁部材13，14と呼び、ケース下半体２の前・後壁部材23，24を、第２の前・後壁部材23，24と呼ぶ場合がある。
【００２５】
第２の前壁部材23は、上端縁部が上枠部材25の前縁部に枢着され、下端縁部が底壁部材21の前縁部に枢着され、上下中間部に折曲げ用ヒンジ部70を有している。
第２の前壁部材13は、左右側壁部材12，12が収納姿勢の場合に、上下中間部が、後方へくの字状に折曲げ可能となる。
第２の後壁部材24は、上端縁部が上枠部材25の後縁部に枢着され、下端縁部が底壁部材21の後縁部に枢着され、上下中間部に折曲げ用ヒンジ部80を有している。
第２の後壁部材24は、左右側壁部材12，12が収納姿勢の場合に、上下中間部が前方へくの字状に折り曲げ可能となる。
【００２６】
第２の前壁部材23及び第２の後壁部材14を、折曲げ角度（内角）が０度に近づくように折畳むと、上枠部材25が底壁部材21に接近する。そして、第２の前壁部材23及び第２の後壁部材24は、横断面Ｖ字状乃至積層状の折畳み収納姿勢で、上枠部材25と底壁部材21と形成される内部空間に配設されて収納される。
【００２７】
図11に示すように、底壁部材21が上枠部材25に底蓋状に配設され、ケース下半体２は、扁平直方体形状の折畳み状態となる。
ケース下半体２の折畳み状態の上下寸法（厚さ寸法）は、底壁部材21の上下寸法（厚さ寸法）と、上枠部材25の上下寸法（厚さ寸法）と、の和となる。
折畳み状態のケース下半体２の上下寸法（厚さ寸法）は、折畳み前の上方開口箱形状のときの上下寸法を１００％とすると、１０％〜２５％となるように設定している。
【００２８】
ケース上半体１及びケース下半体２が折畳み状態である状態を、折畳み完了状態と呼ぶ。この折畳み完了状態の上下寸法は、折畳み前の直方体形状（図５参照）の上下寸法を１００％とすると、１０％〜２５％となるように設定している。
この折畳み完了状態において、全体が扁平長方形状であり、狭い空間に収納するのに最適であり、立て掛け置きも可能である。また、持ち運びも容易となる。
【００２９】
ここで、図１及び図２に示すように、第１・第２の前壁部材13，23及び第１・第２の後壁部材14，24は、各々、樹脂製の矩形板状の第１壁部51，61，71，81を上位置に有し、樹脂製の矩形板状の第２壁部52，62，72，82を下位置に有する二枚板構造である。
そして、第１壁部51，61，71，81は、下端縁部に第１折曲げ用連結部を有し、第２壁部52，62，72，82は、上端縁部に第２折曲げ用連結部を有している。第１折曲げ用連結部と第２折曲げ用連結部との相互の嵌合（組立）にて、折曲げ用ヒンジ部50，60，70，80を構成している。
【００３０】
また、第１の左右側壁部材12，12は、上端縁部が、天井壁部材11の左右側縁部に着脱自在に取着（係止）されると、鉛直面状の起立姿勢が保持されるように構成している。
第２の左右側壁部材22，22は、下端縁部が、底壁部材21の左右側縁部に着脱自在に取着（係止）されると、鉛直面状の起立姿勢が保持されるように構成している。
第１・第２の前壁部材13，23は、その左右側縁部が、起立姿勢の第１・第２の左右側壁部材12，12，22，22の前縁部に着脱自在に取着（係止）されると、鉛直面状の起立姿勢が保持されるように構成している。
第１・第２の後壁部材14，24は、その左右側縁部が、起立姿勢の第１・第２の左右側壁部材12，12，22，22の後縁部に着脱自在に取着（係止）されると、鉛直面状の起立姿勢が保持されるように構成している。
【００３１】
また、第１・第２の前壁部材13，23及び第１・第２の後壁部材14，24は、各々、通気用貫通孔５を多数（10以上の複数）有している。
また、図３乃至図10に於いて図示省略しているが、第１・第２の左右側壁部材12，12，22，22にも、同様に、多数の通気用貫通孔５を設けている。
言い換えると、前壁部材13，23と、後壁部材14，24と、左右側壁部材12，12，22，22と、を格子状又は柵状に構成される。
このように、通気用貫通孔５を設けることで、樹脂で軽量に製造しても、ケース上半体１及びケース下半体２が、強風による滑りや倒れ、吹き飛ばしの虞がなくなる。即ち、風が貫通孔５を通り抜けることで、受ける風圧が低減できる。
なお、天井壁部材11と底壁部材21に貫通孔５を多数設けても良い。貫通孔５は、カラスのクチバシや、ネコの前脚等鳥獣の一部が、内部に収容しているゴミＧに触れることができない大きさに形成する。
【００３２】
また、ケース上半体１が下方開口箱形状、かつ、ケース下半体２が上方開口箱形状である直方体形状（図４参照）で、４５Ｌのゴミ袋Ｇが、１つ乃至４つ、収容可能な大きさが好ましい。
言い換えると、ケース上半体１及びケース下半体２は、各々、（折畳み前の）箱形状の状態で、左右寸法が４００ｍｍ以上８００ｍｍ以下、前後寸法を３００ｍｍ以上６００ｍｍ以下、高さ（上下）寸法を２００ｍｍ以上４００ｍｍ以下に設定している。
上限値を超えると、重量が重くなると共に、折畳み完了状態であっても嵩張って持ち運びが困難になる。また、下限値未満であると、一般家庭の３〜４日間分のゴミＧを収容することが困難となる。
【００３３】
また、ケース上半体１と、ケース下半体２とは、同一部品（同一寸法及び同一形状）としている。つまり、２つの箱型ケース体の一方を上方開口状に配設し（ケース下半体２とし）、他方を上下反転させて、開口部同士を突き合わせるように配設し（他方をケース上半体１として）、ヒンジ部材30で枢結している。このようにすることで、部品点数を削減でき、製造が容易となる。また、同一部品とすることで、図１と図２と図４に示すように、ケース上半体１及びケース下半体２の両方を箱型として使用する場合の収容可能量（容積）に比べて、図７と図８に示すような短縮状態で使用することが可能となって、そのときの収容可能量（容積）が、約半分となり、使い勝手が良い。
【００３４】
なお、本発明は、設計変更可能であって、下枠部材15と上枠部材25を省略するも良い。第１の左右側壁部材12，12を天井壁部材11に枢着して、第１の左右側壁部材12，12の下端縁が上昇して収納姿勢となるようにするも良い。第２の左右側壁部22，22を底壁部材21に枢着して、第２の左右側壁部材22，22の上端縁が左右内方へ傾倒して収納姿勢となるような構造とするも良い。また、前・後壁部材13，23，14，24は、前後内方へ揺動して、収納姿勢となるように構成するも良い。ヒンジ部３は、蝶番型ヒンジ部材30で構成する場合に限らず、ケース上半体１の下枠部材15に樹脂成型にて一体状に設けた枢結用雌雄一方部と、ケース下半体２の上枠部材25に樹脂成型にて一体状に設けた枢結用雌雄他方部とを、連結して構成するも良い。前壁部材13，23及び後壁部材14，24の折曲げ用ヒンジ部50，60，70，80は、薄肉連結線部（片部）をもって構成、或いは、蝶番部材等の金具で構成するも良い。各壁部材11，12，13，14，21，22，23，24、及び、各枠部材15，25は、樹脂製が好ましいが、金属製であっても良い。
【００３５】
また、本発明は、説明を容易にするために、底壁部材21が水平面状となっている姿勢を基準姿勢として、ケース上半体１及びケース下半体２を折り畳む際の上下方向を説明しているが、実際の折畳み作業において、底壁部材21を鉛直面状とした箱横倒し姿勢で、折畳み作業を行うも良い。つまり、方向を基に、折畳み作業の姿勢を限定するものではない。
また、ケース上半体１の後壁面とは、天井壁部材11の後面と、第１後壁部材14の表て面と、下枠部材15の後面と、で形成される面である。ケース下半体２の後壁面とは、底壁部材21の後面と、第２後壁部材24の表て面と、上枠部材25の後面と、で形成される面である。図例においては、ヒンジ部材30は、下枠部材15の後面と上枠部材25の後面とに固着している。
【００３６】
以上のように本発明のゴミ保護ケースは、下方開口状のケース上半体１と、上方開口状のケース下半体２と、を備え、上記ケース上半体１の後壁面の下端縁１ｂと、上記ケース下半体２の後壁面の上端縁２ａとは、ヒンジ部３によって枢結され、上記ケース上半体１は上記ケース下半体２に対して後方へ揺動して開放自在とされ、さらに、上記ケース上半体１及び上記ケース下半体２は、各々、扁平直方体形状に折畳み自在に構成されているので、ゴミ保護ネットのように風や鳥獣によってゴミＧが露出することが無く、確実にゴミＧを保護できる。しかも、非使用状態では、コンパクトにでき（ゴミ収容をしている使用状態に比べて薄くでき）、狭い隙間等のスペースに立て掛けたり、差し込んだりして、片付けることができる。つまり、ゴミ保護ケース専用の設置空間が不要であり、設置空間を常時占領しないため、通行を妨げず、周囲の美観も損ねない。また、容易かつ迅速に、箱型形状と扁平直方体形状に切り替えることができる、ケース上半体１又はケース下半体２を折畳めば、小さいゴミＧを保護するのに適した短縮状態にでき、設置空間を無駄に占領せず、使い勝手が良い。
【００３７】
また、上記ケース上半体１は、天井壁部材11と、左右側壁部材12，12と、前壁部材13と、後壁部材14と、下方開口縁部を形成する矩形状の下枠部材15と、を有し、上記左右側壁部材12，12は、左右内方へ揺動自在に、上記下枠部材15に枢着され、上記前壁部材13は、後内方へくの字状に折曲げ自在であり、かつ、上記後壁部材14は、前内方へくの字状に折曲げ自在とされ、上記ケース下半体２は、底壁部材21と、左右側壁部材22，22と、前壁部材23と、後壁部材24と、上方開口縁部を形成する矩形状の上枠部材25と、を有し、上記ケース下半体２の左右側壁部材22，22は、左右内方へ揺動自在に、上記上枠部材25に枢着され、上記ケース下半体２の前壁部材23は、後内方へくの字状に折曲げ自在であり、かつ、上記ケース下半体２の後壁部材24は、前内方へくの字状に折曲げ自在とされているので、ケース上半体１のみ、又は、ケース下半体２のみ、或いは、両者を、容易かつ迅速に折畳み状態にすることができる。箱形状状態（箱状態）と折畳み状態との切換えを容易に行うことができる。折畳み状態の上下寸法（厚さ寸法）を、箱状態の時よりも大幅に薄くできる。
【００３８】
また、上記ヒンジ部３に、上記ケース上半体１を前方へ閉じる方向へ常時弾発付勢するバネ部材35を設けたので、バネ部材35の弾発付勢力が、ケース上半体１を閉じる方向へ揺動させるための操作補助力となって、使用者が容易にケース上半体１を閉じることができる。また、バネ部材35の弾発付勢力が、鳥獣や強風がケース上半体１を開揺動させようとする力に対する抵抗力となり、不意に開放されることを防止できる。
【符号の説明】
【００３９】
１  ケース上半体
１ｂ  下端縁
２  ケース下半体
２ａ  上端縁
３  ヒンジ部
11  天井壁部材
12，12  左右側壁部材
13  前壁部材
14  後壁部材
15  下枠部材
21  底壁部材
22，22  左右側壁部材
23  前壁部材
24  後壁部材
25  上枠部材
35  バネ部材
【図１】
2019001610.tif 000003
【図２】
2019001610.tif 000004
【図３】
2019001610.tif 000005
【図４】
2019001610.tif 000006
【図５】
2019001610.tif 000007
【図６】
2019001610.tif 000008
【図７】
2019001610.tif 000009
【図８】
2019001610.tif 000010
【図９】
2019001610.tif 000011
【図１０】
2019001610.tif 000012
【図１１】
2019001610.tif 000013
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
下方開口箱型のケース上半体（１）と、上方開口箱型のケース下半体（２）と、を備え、
上記ケース上半体（１）の後壁面の下端縁（１ｂ）と、上記ケース下半体（２）の後壁面の上端縁（２ａ）とは、ヒンジ部（３）によって枢結され、
上記ケース上半体（１）は上記ケース下半体（２）に対して後方へ揺動して開放自在とされ、上記ヒンジ部（３）には、上記ケース上半体（１）を前方へ閉じる方向へ常時弾発付勢するバネ部材（35）が設けられ、さらに、上記ケース上半体（１）及び上記ケース下半体（２）は、各々、扁平直方体形状に折畳み自在に構成され、
上記ケース上半体（１）が下方開口箱形状かつ上記ケース下半体（２）が上方開口箱形状となっている直方体形状の状態と、上記ケース上半体（１）が折畳まれた扁平直方体形状かつ上記ケース下半体（２）が上方開口箱形状となっている短縮状態と、上記ケース上半体（１）が折畳まれた扁平直方体形状かつ上記ケース下半体（２）が折畳まれた扁平直方体形状となっている折畳み完了状態と、に切り替え自在に構成され、
さらに、上記ケース上半体（１）及び上記ケース下半体（２）は、各々、風からの風圧を低減するための多数の通気用貫通孔（５）を有していることを特徴とするゴミ保護ケース。
【請求項２】
上記ケース上半体（１）は、天井壁部材（11）と、左右側壁部材（12）（12）と、前壁部材（13）と、後壁部材（14）と、下方開口縁部を形成する矩形状の下枠部材（15）と、を有し、
上記左右側壁部材（12）（12）は、左右内方へ揺動自在に、上記下枠部材（15）に枢着され、
上記前壁部材（13）は、後内方へくの字状に折曲げ自在であり、かつ、上記後壁部材（14）は、前内方へくの字状に折曲げ自在とされ、
上記ケース下半体（２）は、底壁部材（21）と、左右側壁部材（22）（22）と、前壁部材（23）と、後壁部材（24）と、上方開口縁部を形成する矩形状の上枠部材（25）と、を有し、
上記ケース下半体（２）の左右側壁部材（22）（22）は、左右内方へ揺動自在に、上記上枠部材（25）に枢着され、
上記ケース下半体（２）の前壁部材（23）は、後内方へくの字状に折曲げ自在であり、かつ、上記ケース下半体（２）の後壁部材（24）は、前内方へくの字状に折曲げ自在とされている請求項１記載のゴミ保護ケース。
【手続補正２】
【補正対象書類名】明細書
【補正対象項目名】０００６
【補正方法】変更
【補正の内容】
【０００６】
本発明のゴミ保護ケースは、下方開口箱型のケース上半体と、上方開口箱型のケース下半体と、を備え、上記ケース上半体の後壁面の下端縁と、上記ケース下半体の後壁面の上端縁とは、ヒンジ部によって枢結され、上記ケース上半体は上記ケース下半体に対して後方へ揺動して開放自在とされ、上記ヒンジ部には、上記ケース上半体を前方へ閉じる方向へ常時弾発付勢するバネ部材が設けられ、さらに、上記ケース上半体及び上記ケース下半体は、各々、扁平直方体形状に折畳み自在に構成され、上記ケース上半体が下方開口箱形状かつ上記ケース下半体が上方開口箱形状となっている直方体形状の状態と、上記ケース上半体が折畳まれた扁平直方体形状かつ上記ケース下半体が上方開口箱形状となっている短縮状態と、上記ケース上半体が折畳まれた扁平直方体形状かつ上記ケース下半体が折畳まれた扁平直方体形状となっている折畳み完了状態と、に切り替え自在に構成され、さらに、上記ケース上半体及び上記ケース下半体は、各々、風からの風圧を低減するための多数の通気用貫通孔を有しているものである。
【手続補正３】
【補正対象書類名】明細書
【補正対象項目名】０００７
【補正方法】変更
【補正の内容】
【０００７】
また、上記ケース上半体は、天井壁部材と、左右側壁部材と、前壁部材と、後壁部材と、下方開口縁部を形成する矩形状の下枠部材と、を有し、上記左右側壁部材は、左右内方へ揺動自在に、上記下枠部材に枢着され、上記前壁部材は、後内方へくの字状に折曲げ自在であり、かつ、上記後壁部材は、前内方へくの字状に折曲げ自在とされ、上記ケース下半体は、底壁部材と、左右側壁部材と、前壁部材と、後壁部材と、上方開口縁部を形成する矩形状の上枠部材と、を有し、上記ケース下半体の左右側壁部材は、左右内方へ揺動自在に、上記上枠部材に枢着され、上記ケース下半体の前壁部材は、後内方へくの字状に折曲げ自在であり、かつ、上記ケース下半体の後壁部材は、前内方へくの字状に折曲げ自在とされているものである。
【手続補正４】
【補正対象書類名】明細書
【補正対象項目名】００３９
【補正方法】変更
【補正の内容】
【００３９】
１  ケース上半体
１ｂ  下端縁
２  ケース下半体
２ａ  上端縁
３  ヒンジ部
５ 通気用貫通孔
11  天井壁部材
12，12  左右側壁部材
13  前壁部材
14  後壁部材
15  下枠部材
21  底壁部材
22，22  左右側壁部材
23  前壁部材
24  後壁部材
25  上枠部材
35  バネ部材